(57)【特許請求の範囲】
【請求項１】
内部に釣糸を挿通するための釣糸導入孔を周面上に有する筒状の第１竿体と、前記第１竿体の穂先側に振出形式で連結される第２竿体とを有する中通し竿の内部に設けられた釣糸通路に釣糸を挿通するための糸通し具であって、
前記第２竿体の穂先側と前記第１竿体の釣糸導入孔付近との間の距離に相当する長さを有する屈曲可能な線状の本体部と、
前記本体部の後端に連結され前記第２竿体の穂先側を覆う筒状のカバー部と、
前記本体部の先端に設けられた先端部と、
前記先端部に形成された釣糸係止部とを備え、
前記筒状のカバー部は、前記第２竿体の穂先側を内部に収納可能な蓋付円筒型のカバー本体部と、前記カバー本体部に設けられ前記第２竿体の穂先側に前記カバー本体部を取り付けるための取付部とを有し、
前記先端部は前記本体部よりやや大径に形成された蓋付円筒型部材であり、周面上に一周にわたって形成された複数の窪み部を有し、
前記釣糸係止部は前記複数の窪み部である
ことを特徴とする糸通し具。
【請求項２】
前記取付部は、前記カバー本体部に、前記第２竿体を巻回可能に設けられ、複数の係止孔が形成されたゴムバンドと、前記カバー本体部に設けられ、前記ゴムバンドの係止孔を係止可能な係止突起とからなっていることを特徴とする、
請求項１に記載の糸通し具。
【発明の詳細な説明】
【０００１】
【発明の属する技術分野】
本発明は、内部に釣糸通路が形成された中通し竿の釣糸通路に釣糸を挿通するための糸通し具に関する。
【０００２】
【従来の技術】
中通し竿は、複数の竿体の内部に釣糸通路を形成するとともに、竿元側の竿体に釣糸通路にリールからの釣糸を挿入するための釣糸導入孔を形成したものである。この中通し竿の釣糸通路に釣糸を挿通するために糸通し具が用いられる。
この従来の糸通し具は金属製ワイヤの先端にキャップを設け、後端に釣糸を係止可能な釣糸係止部を設けたものである。この糸通し具で中通し竿の釣糸通路に釣糸を挿通させる場合（以下「釣糸挿通操作」という）には、中通し竿の複数の竿体を順次竿元側の竿体に収納する。そして、糸通し具の釣糸係止部にリールからの釣糸を係止した後に、先端のキャップを釣糸導入孔に挿入し、順次穂先側に送って穂先側から外部に導出する。
【０００３】
このような糸通し具を用いて釣糸挿通操作を行う場合、中通し竿の穂先側を下方に向けて作業を行う場合がある。しかし、中通し竿の穂先側を下方に向けて釣糸挿通操作を行うと作業中に穂先側の竿体が飛び出してしまう恐れがある。そこで、穂先側の竿体を係止するための係止栓を竿元側の竿体に装着して、穂先側の竿体が飛び出さないようにした中通し竿などが知られている。
【０００４】
【発明が解決しようとする課題】
前記係止栓を装着した中通し竿では、穂先側の竿体を必要な際には竿元側の竿体から穂先側に引き出す必要があり、当然、穂先側の竿体を竿元側の竿体に完全に固定したものではない。このため、釣糸挿通操作時に、穂先側の竿体が前方に落下してしまう場合もあり得る。また、このような係止栓を別途設けて中通し竿を製造するのは煩雑である。
【０００５】
本発明の課題は、中通し竿の釣糸挿通操作を容易に行うことができる糸通し具を提供することにある。
【０００９】
【課題を解決するための手段】
発明１にかかる糸通し具は、内部に釣糸を挿通するための釣糸導入孔を周面上に有する筒状の第１竿体と、第１竿体の穂先側に振出形式で連結される第２竿体とを有する中通し竿の内部に設けられた釣糸通路に釣糸を挿通するための糸通し具である。そして、第２竿体の穂先側と第１竿体の釣糸導入孔付近との間の距離に相当する長さを有する屈曲可能な線状の本体部と、本体部の後端に連結され第２竿体の穂先側を覆う筒状のカバー部と、本体部の先端に設けられた先端部と、先端部に形成された釣糸係止部とを備え、前記筒状のカバー部は、前記第２竿体の穂先側を内部に収納可能な蓋付円筒型のカバー本体部と、前記カバー本体部に設けられ前記第２竿体の穂先側に前記カバー本体部を取り付けるための取付部とを有していることを特徴とする。
また、先端部は本体部よりやや大径に形成された蓋付円筒型部材であり、周面上に一周にわたって形成された複数の窪み部を有している。そして、釣糸係止部はこの複数の窪み部である。
釣糸挿通操作時には、第２竿体を第１竿体から引き出して連結した状態で（第２竿体の穂先側にさらに複数の他の竿体が連結される場合には、それら他の竿体を第２竿体内に収納した状態で）糸通し具の先端部を中通し竿の穂先側から釣糸通路内に挿入する。本体部をもっとも竿元側まで挿入して本体部後端のカバー部を第２竿体の穂先側に固定すると、先端部が第１竿体の釣糸導入孔付近に位置することになる。ここで、先端を二つ折りにした釣糸を釣糸導入孔より挿入して、糸通し具の先端部の釣糸係止部に釣糸を係止する。その後、カバー部を第２竿体から外して、糸通し具自体を中通し竿の穂先側から釣糸とともに引き抜いて、釣糸を中通し竿の釣糸通路に挿通させる。
この場合には、釣糸挿通操作時に穂先側を下方に向けても、第２竿体の穂先側に固定されているカバー部が、第２中竿内に収納される複数の竿体が穂先側に飛び出すのを抑える。この結果、竿体を痛めることなく、釣糸挿通操作が容易になる。
また、この場合には、カバー部に取付部が設けられており、釣糸挿通操作時において糸通し具を中通し竿に容易に固定可能である。
この場合には、先端部に複数の窪み部が形成されており、釣糸挿通操作時において釣糸を容易に先端部に係止可能である。
【００１１】
発明２にかかる糸通し具は、発明１の糸通し具であって、取付部は、カバー本体部に、第２竿体を巻回可能に設けられ、複数の係止孔が形成されたゴムバンドと、カバー本体部に設けられ、ゴムバンドの係止孔を係止可能な係止突起とからなっていることを特徴とする。
【００１２】
この場合には、カバー部に取付部が設けられており、釣糸挿通操作時において糸通し具を中通し竿に容易に固定可能である。
【００１３】
【発明の実施の形態】
［第１実施形態］
以下、本発明の第１実施形態について図面を参照しつつ説明する。
【００１４】
（中通し竿の構造）
まず、本発明の第１実施形態を採用した糸通し具を用いて釣糸を釣糸通路に挿通する中通し竿について説明する。
【００１５】
図１および図２に示すように、この中通し竿は、元竿１と、元竿１の穂先側に連結された第１中竿２及び第２中竿３と、第２中竿３の穂先側に連結された穂先竿４とを有している。これら元竿１〜穂先竿４は炭素繊維またはガラス繊維，チラノ繊維等に合成樹脂を含浸させたプリプレグから形成される先細り筒状部材であって、内部に釣糸通路１００を有する（図２参照）。そして、第１中竿２〜穂先竿４は穂先側から順次竿元側の竿体の内部に挿入され出し入れ自在になっており、いわゆる振出形式で連結されている。
【００１６】
元竿１は、外周面に形成されリール５を脱着自在に装着可能なリールシート６と、穂先側外周面に形成されリール５からの釣糸Ｌを竿体内部に導入する釣糸導入孔７が形成されている。さらに、穂先竿４の穂先側端部にはトップガイド８が取り付けられており、リールからの釣糸Ｌは釣糸導入孔７を通り釣糸通路１００に導かれて、穂先側のトップガイド８より外部へ導かれる。
【００１７】
（糸通し具の構造）
中通し竿に釣糸を挿通するために用いられる糸通し具１０は、図２および図３に示すように、金属製ワイヤーからなる本体部１１と、本体部１１の先端に設けられた先端部１２と、本体部１１の後端に連結されたカバー部１３とを有している。
【００１８】
本体部１１は、複数の金属素線をよって形成されたワイヤまたは合成樹脂で形成された屈曲自在な線状部材である。金属ワイヤから形成される場合、その表面には合成樹脂によって表面コートが施される。また、商品イメージに合わせて様々な色彩や模様が施される。この本体部１１の外径は穂先竿４内の釣糸通路１００の内径より小さく、穂先竿４内の釣糸通路１００を挿通可能になっている。この本体部１１は第１中竿２の軸方向長さよりやや長く、図２に示すように、カバー部１３を第２中竿２の穂先側に取り付けた状態で、先端部１２が元竿１の釣糸導入孔７付近に位置するようになっている。
【００１９】
先端部１２は、金属または合成樹脂からなる蓋付円筒型部材であって、本体部１１の先端部分を収納するように配置されている。本体部１１よりやや大径で穂先竿４の内径より小さく、中通し竿の内部の釣糸通路１００を挿通可能なものである。そして先端部１２の周面上には、周方向一周にわたって形成された複数の窪み部１２ａが軸方向に所定の間隔を隔てて形成されている。
【００２０】
図２に示すように、カバー部１３は、上述の中通し竿の第２中竿３および穂先竿４を順次第１中竿２に収納した状態、即ち、元竿１の穂先側に第１中竿２のみが伸出して振出式に連結された状態で、第１中竿２の穂先側に取り付けられる部分である。このカバー部１３は、竿元側が開口した蓋付円筒型のカバー本体部１４と、カバー本体部１４の竿元側外周面に設けられた係止突起１５と、カバー本体部１４の竿元側に配置されたゴムバンド１６とを有している。
【００２１】
カバー本体部１４は、内部に中通し竿の第１中竿２の穂先側を収納可能な程度の内径を有する蓋付き円筒形部材であり、竿元側の一部分が竿元側に伸びこの部分に係止突起１５がカバー本体部１４と一体的に形成されている。カバー本体部１４は、例えば、合成樹脂や金属等によって形成可能である。そして、図２に詳しく示すように、カバー本体部１４の内部の穂先側において本体部１１と連結されている。また、ゴムバンド１６は、カバー本体部１４の係止突起１５付近に一端が固定され、他端側に係止突起１５に係止可能な複数の係止孔１６ａが形成されたゴム部材である。そして、中通し竿の第１中竿２の穂先側にカバー本体部１４を填め込んだ状態でゴムバンド１６を巻回して取り付け可能である。
【００２２】
（釣糸挿通操作）
本発明の第１実施形態では、以下のように釣糸挿通操作を行う。
【００２３】
中通し竿の第１中竿２内に穂先竿４および第２中竿３を順次収納して、元竿１の穂先側に第１中竿１が連結された状態とする。そして、糸通し具１０の先端部１２を第１中竿２の穂先側から釣糸通路１００内に挿入する。続いて、糸通し具１０の本体部１１をもっとも竿元側まで挿入して、カバー部１３を第１中竿２の穂先側に固定する。この状態では、先端部１２は元竿１の釣糸導入孔７付近に位置することになる。ここで、先端を二つ折りにした釣糸Ｌを釣糸導入孔７より挿入して、糸通し具１０の先端部１２の窪み部１２ａに釣糸Ｌを引っかけて係止する。その後、カバー部１３を第１中竿２から外して、糸通し具１０自体を中通し竿の穂先側から釣糸Ｌとともに引き抜いて、釣糸Ｌを中通し竿の釣糸通路１００に挿通する。
【００２４】
このように構成された糸通し具を用いて釣糸挿通操作を行うと、釣糸挿通操作時に穂先側を下方に向けても、カバー部１３が第１中竿２の穂先側を覆っているので、第１中竿２内に収納される第２中竿３および穂先竿４が穂先側に飛び出すことはない。この結果、穂先竿４等を痛めることなく釣糸挿通操作を容易に行うことができる。
【００２５】
［第２実施形態］
以下、本発明の第２実施形態について図面を参照しつつ説明する。
【００２６】
（糸通し具の構造）
中通し竿に釣糸を挿通するために用いられる糸通し具２０は、図４に示すように、金属製ワイヤーからなる本体部２１と、本体部２１の先端に設けられた先端部２２と、本体部２１の後端に連結されたカバー部２３とを有している。
【００２７】
本体部２１は、複数の金属素線をよって形成されたワイヤまたは合成樹脂で形成された屈曲自在な線状部材である。この本体部２１の外径は穂先竿４内の釣糸通路１００の内径より小さく、穂先竿４内の釣糸通路１００を挿通可能になっている。この本体部２１は第１中竿２の軸方向長さよりやや長く、図４に示すように、カバー部２３を第２中竿２の穂先側に取り付けた状態で、先端部２２が元竿１の釣糸導入孔７付近に位置するようになっている。
【００２８】
先端部２２は、金属または合成樹脂からなる蓋付円筒型部材であって、本体部２１の先端部分を収納するように配置されている。本体部２１よりやや大径で穂先竿４の内径より小さく、中通し竿の内部の釣糸通路１００を挿通可能なものである。この先端部２２の先端には先端部２２から軸方向に伸び先端がフック状に折り曲げられたフック部２２ａが形成されている。
【００２９】
カバー部２３は、上述の中通し竿の第２中竿３および穂先竿４を順次第１中竿２に収納した状態、即ち、元竿１の穂先側に第１中竿２のみが伸出して振出式に連結された状態で、図４に示すように、第１中竿２の穂先側に取り付けられる部分である。このカバー部２３は、竿元側が開口した蓋付円筒型のカバー本体部２４と、カバー本体部２４の竿元側外周面に設けられた係止突起２５と、カバー本体部２４の竿元側に配置されたゴムバンド２６とを有している。
【００３０】
カバー本体部２４は、内部に中通し竿の第２中竿２の穂先側を収納可能な程度の内径を有する蓋付き円筒形部材であり、竿元側の一部分が竿元側に伸びこの部分に係止突起２５がカバー本体部２４と一体的に形成されている。カバー本体部２４は、例えば、合成樹脂や金属等によって形成可能である。そして、図４に詳しく示すように、カバー本体部２４の内部の穂先側において本体部２１と連結されている。また、ゴムバンド２６は、カバー本体部２４の係止突起２５付近に一端が固定され、他端側に係止突起２５に係止可能な複数の係止孔が形成されたゴム部材である。
【００３１】
なお、その他の構成は第１実施形態と同様であり、説明を省略する。
【００３２】
（釣糸挿通操作）
本発明の第２実施形態では、第１実施形態と同様に釣糸挿通操作を行う。
【００３３】
即ち、中通し竿の第１中竿２内に穂先竿４および第２中竿３を順次収納して、元竿１の穂先側に第１中竿１が連結された状態とする。そして、糸通し具２０の先端部２２を第１中竿２の穂先側から釣糸通路１００内に挿入する。続いて、カバー部２３を第１中竿２の穂先側に固定して、先端を二つ折りにした釣糸Ｌを釣糸導入孔７より挿入して、糸通し具２０の先端部２２のフック部２２ａに釣糸Ｌを引っかけて係止する。
【００３４】
このように構成された糸通し具を用いて釣糸挿通操作を行うと、釣糸挿通操作時に穂先側を下方に向けても、カバー部２３が第１中竿２の穂先側を覆っているので、第１中竿２内に収納される第２中竿３および穂先竿４が穂先側に飛び出すことはない。この結果、穂先竿４等を痛めることなく釣糸挿通操作を容易に行うことができる。また、先端部２２にフック部２３ａが形成されており、釣糸Ｌの係止が容易になる。
【００３５】
［他の実施形態］
（ａ）糸通し具の先端に粘着部材を配置して、この粘着部材によって釣糸Ｌを係止してもよい。
（ｂ）糸通し具を用いる中通し竿は、上記実施の形態に限定されるものではない。様々な竿体の継ぎ数を有する中通し竿等にも適応可能である。
【００３６】
【発明の効果】
本発明の糸通し具によれば、釣糸挿通操作を容易に行うことができる。
【図面の簡単な説明】
【図１】本発明の第１実施形態を採用した糸通し具を用いて釣糸挿通操作を行う中通し材の全体図。
【図２】本発明の第１実施形態を採用した糸通し具を用いて釣糸挿通操作を行う状態を示した図。
【図３】本発明の第１実施形態を採用した糸通し具の全体図。
【図４】本発明の第２実施形態を採用した糸通し具を用いて釣糸挿通操作を行う状態を示した図。
【符号の説明】
１  元竿
２  第１中竿
３  第２中竿
４  穂先竿
１０，２０  糸通し具
１１，２１  本体部
１２，２２  先端部
１３，２３  カバー部
１４，２４  カバー本体部
１５，２５  係止突起
１６，２６  ゴムバンド
１２ａ  窪み部
２２ａ  フック部
１００  釣糸通路
Ｌ  釣糸
【図１】
0004179429.tif 000002
【図２】
0004179429.tif 000003
【図３】
0004179429.tif 000004
【図４】
0004179429.tif 000005